(57)【要約】【課題】ユーザがＷｅｂサイト等のページを積極的に閲覧していなくてもＷｅｂサイト等のページ閲覧へ誘導する。【解決手段】ユーザの行動履歴データを格納したユーザログデータベースの情報に基づき、ウオッチ対象となるＲＳＳサイトの設定をＲＳＳサイト管理データベースに対して行うＲＳＳ登録部と、前記ＲＳＳサイト管理データベースの設定に基づいて該当するサービス提供装置からＲＳＳデータを取得し、当該ＲＳＳデータからコンテンツデータを取得し、データ加工を行って利用誘導文字情報を生成し、当該利用誘導文字情報をユーザ端末に送信する利用誘導文字情報提供部とを備える。【選択図】図１
2011060022.tif 000002
【特許請求の範囲】
【請求項１】
ユーザの行動履歴データを格納したユーザログデータベースの情報に基づき、ウオッチ対象となるＲＳＳサイトの設定をＲＳＳサイト管理データベースに対して行うＲＳＳ登録部と、
前記ＲＳＳサイト管理データベースの設定に基づいて該当するサービス提供装置からＲＳＳデータを取得し、当該ＲＳＳデータからコンテンツデータを取得し、データ加工を行って利用誘導文字情報を生成し、当該利用誘導文字情報をユーザ端末に送信する利用誘導文字情報提供部と
を備えたことを特徴とするコンテンツデータ提供装置。
【請求項２】
請求項１に記載のコンテンツデータ提供装置において、
前記利用誘導文字情報提供部は、コンテンツデータに含まれるテキストデータの１文字単位に取得元のサービス提供装置のＵＲＬリンクを埋め込んで利用誘導文字情報を生成し、画面端部に文字列が流れる表示を行わせる
ことを特徴とするコンテンツデータ提供装置。
【請求項３】
ユーザの行動履歴データを格納したユーザログデータベースの情報に基づき、ウオッチ対象となるＲＳＳサイトの設定をＲＳＳサイト管理データベースに対して行う工程と、
前記ＲＳＳサイト管理データベースの設定に基づいて該当するサービス提供装置からＲＳＳデータを取得し、当該ＲＳＳデータからコンテンツデータを取得し、データ加工を行って利用誘導文字情報を生成し、当該利用誘導文字情報をユーザ端末に送信する工程と
を備えたことを特徴とするコンテンツデータ提供制御方法。
【発明の詳細な説明】
【技術分野】
【０００１】
本発明は、インターネット等のネットワークを介してコンテンツデータを提供する技術に関する。
【背景技術】
【０００２】
インターネット上では各種のサービスにより数々のコンテンツの提供が行われているが、事業としてコンテンツの提供を行う場合には、いかに多くのユーザを取り込むかということが重要なテーマとなる。
【０００３】
ユーザの嗜好情報に基づいて商品広告ないしはサービス利用の推薦を行う技術として、ターゲティング広告が知られている（例えば、特許文献１〜３を参照。）。
【０００４】
この種のターゲティング広告では、Ｗｅｂサイトのページを閲覧するユーザに対し、バナー広告等により商品広告ないしはサービス利用の推薦を含む情報を提供する。
【先行技術文献】
【特許文献】
【０００５】
【特許文献１】特開２００９−１２８４９８号公報
【特許文献２】特開２００７−４４８８号公報
【特許文献３】特開２００４−２２０４９８号公報
【発明の概要】
【発明が解決しようとする課題】
【０００６】
上述したように、従来のターゲティング広告は、ユーザがＰＣ（Personal Computer）やデジタルテレビを使用していたとしても、ユーザがＷｅｂサイトのページを閲覧している場合にしか行うことができなかった。すなわち、ＰＣで文書作成を行っていたり、デジタルテレビで番組視聴を行っていたりする場合には、Ｗｅｂサイトのページを介したターゲティング広告は行えなかった。従って、ターゲティング広告の効果が限定的であるという問題があった。
【０００７】
本発明は上記の従来の問題点に鑑み提案されたものであり、その目的とするところは、ユーザがＷｅｂサイト等のページを積極的に閲覧していなくてもＷｅｂサイト等のページ閲覧へ誘導することのできるコンテンツデータ提供装置を提供することにある。
【課題を解決するための手段】
【０００８】
上記の課題を解決するため、本発明にあっては、請求項１に記載されるように、ユーザの行動履歴データを格納したユーザログデータベースの情報に基づき、ウオッチ対象となるＲＳＳサイトの設定をＲＳＳサイト管理データベースに対して行うＲＳＳ登録部と、前記ＲＳＳサイト管理データベースの設定に基づいて該当するサービス提供装置からＲＳＳデータを取得し、当該ＲＳＳデータからコンテンツデータを取得し、データ加工を行って利用誘導文字情報を生成し、当該利用誘導文字情報をユーザ端末に送信する利用誘導文字情報提供部とを備えるコンテンツデータ提供装置を要旨としている。
【０００９】
また、請求項２に記載されるように、請求項１に記載のコンテンツデータ提供装置において、前記利用誘導文字情報提供部は、コンテンツデータに含まれるテキストデータの１文字単位に取得元のサービス提供装置のＵＲＬリンクを埋め込んで利用誘導文字情報を生成し、画面端部に文字列が流れる表示を行わせるようにすることができる。
【００１０】
また、請求項３に記載されるように、ユーザの行動履歴データを格納したユーザログデータベースの情報に基づき、ウオッチ対象となるＲＳＳサイトの設定をＲＳＳサイト管理データベースに対して行う工程と、前記ＲＳＳサイト管理データベースの設定に基づいて該当するサービス提供装置からＲＳＳデータを取得し、当該ＲＳＳデータからコンテンツデータを取得し、データ加工を行って利用誘導文字情報を生成し、当該利用誘導文字情報をユーザ端末に送信する工程とを備えるコンテンツデータ提供制御方法として構成することができる。
【発明の効果】
【００１１】
本発明のコンテンツデータ提供装置にあっては、ユーザがＷｅｂサイト等のページを積極的に閲覧していなくてもＷｅｂサイト等のページ閲覧へ誘導することができ、サービス利用の促進が期待される。
【図面の簡単な説明】
【００１２】
【図１】本発明の一実施形態にかかるシステムの構成例を示す図である。
【図２】ユーザログデータベースのデータ構造例を示す図である。
【図３】クロール結果保持部のデータ構造例を示す図である。
【図４】ＲＳＳサイト管理データベースのデータ構造例を示す図である。
【図５】利用誘導文字情報提供装置のハードウェア構成例を示す図である。
【図６】実施形態の処理例を示すシーケンス図（その１）である。
【図７】実施形態の処理例を示すシーケンス図（その２）である。
【図８】ユーザ端末の画面例を示す図（その１）である。
【図９】ユーザ端末の画面例を示す図（その２）である。
【発明を実施するための形態】
【００１３】
以下、本発明の好適な実施形態につき説明する。
【００１４】
＜構成＞
図１は本発明の一実施形態にかかるシステムの構成例を示す図である。
【００１５】
図１において、インターネット等のネットワーク１には、ユーザが操作するＰＣ、デジタルテレビ、携帯電話、ＰＤＡ（Personal Digital Assistants）等のユーザ端末２が複数接続されている。ユーザ端末２は、一般的なブラウザ（Ｗｅｂブラウザ）２１と、専用プログラムにより実現されるテキスト受信・表示部２２とを備えている。
【００１６】
ブラウザ２１は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１７】
テキスト受信・表示部２２は、後述する利用誘導文字情報提供装置４からネットワーク１を介して利用誘導文字情報（ＵＲＬ（Uniform Resource Locator）リンク付）を受信し、利用誘導文字情報の文字列を画面の端部に表示する機能を有している。また、テキスト受信・表示部２２は、表示した文字上をユーザによりマウスクリック等により選択された場合、当該文字に埋め込まれたＵＲＬリンクに従い、そのＵＲＬへの接続を指示してブラウザ２１を起動する機能を有している。
【００１８】
一方、ネットワーク１には、各種のサービスを提供するサービス提供装置３が複数接続されている。各サービス提供装置３は、ＲＳＳ（RDF（Resource Description Framework） Site Summary、Rich Site Summary、Really Simple Syndication ）により書誌情報を提供する機能を有している。
【００１９】
また、ネットワーク１には、ユーザ端末２に対して利用誘導文字情報を提供する利用誘導文字情報提供装置４が接続されている。利用誘導文字情報提供装置４は、機能部として、ＲＳＳ登録部４１と利用誘導文字情報提供部４２とを備えている。これらの機能部は、利用誘導文字情報提供装置４を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００２０】
また、利用誘導文字情報提供装置４が参照する外部のデータベースとして、ユーザログデータベース５が設けられている。利用誘導文字情報提供装置４の内部には、クロール結果保持部４３とＲＳＳサイト管理データベース４４とが設けられている。これらのデータベースは、データベースを保持するコンピュータ内のＨＤＤ（Hard Disk Drive）等の記憶媒体上に所定のデータを体系的に保持するものである。
【００２１】
ＲＳＳ登録部４１は、ユーザの検索履歴（クエリログ）やページ閲覧履歴（ページ閲覧ログ）を格納したユーザログデータベース５の情報に基づいてウオッチ対象となるＲＳＳサイトの設定をＲＳＳサイト管理データベース４４に対して行う機能を有している。
【００２２】
ＲＳＳ登録部４１は、ログ情報取得部４１１とログ情報分析部４１２とクローラ部４１３とＲＳＳサイト設定部４１４とを備えている。
【００２３】
ログ情報取得部４１１は、ユーザログデータベース５からログ情報を取得する機能を有している。
【００２４】
ログ情報分析部４１２は、ログ情報取得部４１１によりユーザログデータベース５から取得したログ情報を分析し、特徴語（複数可）を抽出する機能を有している。
【００２５】
クローラ部４１３は、所定の周期あるいはバッチ処理により、対象となる複数のサービス提供装置３の各ページを巡回してコンテンツデータ（主にテキストデータ）を取得してクロール結果保持部４３に格納する機能を有している。
【００２６】
ＲＳＳサイト設定部４１４は、ログ情報分析部４１２により抽出された特徴語と、クロール結果保持部４３に格納されたクロール結果とを比較して、特徴語を含む頻度の高いサービス提供装置３を選択し、ＲＳＳサイト管理データベース４４にユーザと対応付けてサービス提供装置３のＲＳＳ取得ＵＲＬをＲＳＳサイトＵＲＬとして設定する機能を有している。
【００２７】
利用誘導文字情報提供部４２は、ＲＳＳサイト管理データベース４４の設定に基づいて該当するサービス提供装置３からＲＳＳデータを取得し、そのＲＳＳデータからコンテンツデータを取得し、データ加工を行って利用誘導文字情報を生成し、ユーザ端末２に送信する機能を有している。
【００２８】
利用誘導文字情報提供部４２は、ＲＳＳデータ受信部４２１とコンテンツ取得部４２２とテキスト抽出部４２３とリンク埋め込み部４２４と利用誘導文字送信部４２５とを備えている。
【００２９】
ＲＳＳデータ受信部４２１は、ＲＳＳサイト管理データベース４４に設定されたＲＳＳサイトＵＲＬに基づき、サービス提供装置３にアクセスしてＲＳＳデータを受信する機能を有している。
【００３０】
コンテンツ取得部４２２は、ＲＳＳデータ受信部４２１が取得したＲＳＳデータに基づき、サービス提供装置３から本体となるコンテンツデータを取得する機能を有している。
【００３１】
テキスト抽出部４２３は、コンテンツ取得部４２２が取得したコンテンツデータ（ページデータ）からテキストデータを抽出する機能を有している。
【００３２】
リンク埋め込み部４２４は、テキスト抽出部４２３が抽出したテキストデータの１文字単位に取得元のサービス提供装置３のＵＲＬリンクを埋め込んで利用誘導文字情報を生成する機能を有している。テキストデータの１文字単位にＵＲＬリンクを埋め込むのは、後にユーザ端末２において文字列が表示された場合に、１文字でも表示の断片が残っていればリンクを有効に機能させるためである。
【００３３】
利用誘導文字送信部４２５は、リンク埋め込み部４２４により生成された利用誘導文字情報を該当するユーザのユーザ端末２に送信する機能を有している。
【００３４】
図２はユーザログデータベース５のデータ構造例を示す図であり、「ユーザＩＤ」「日時」「クエリ、閲覧ＵＲＬ、・・・」等の項目を有している。「ユーザＩＤ」はユーザを特定する識別子である。「日時」はログの事象を記録した日時である。「クエリ、閲覧ＵＲＬ、・・・」は検索式の内容もしくは閲覧ページのＵＲＬを示す情報である。
【００３５】
図３はクロール結果保持部４３のデータ構造例を示す図であり、「ＵＲＬ」「日時」「コンテンツ内容」等の項目を有している。「ＵＲＬ」は収集対象となったページのＵＲＬである。「日時」は収集を行った日時である。「コンテンツ内容」は収集されたコンテンツデータ（主にテキストデータ）である。
【００３６】
図４はＲＳＳサイト管理データベース４４のデータ構造例を示す図であり、「ユーザＩＤ」「ＲＳＳサイトＵＲＬ」等の項目を有している。「ユーザＩＤ」はユーザを特定する識別子である。「ＲＳＳサイトＵＲＬ」はＲＳＳデータを取得するウオッチ対象となるサービス提供装置３のＵＲＬである。
【００３７】
図５は利用誘導文字情報提供装置４のハードウェア構成例を示す図である。
【００３８】
図５において、利用誘導文字情報提供装置４は、システムバス４００１に接続されたＣＰＵ４００２、ＲＯＭ４００３、ＲＡＭ４００４、ＮＶＲＡＭ（Non-Volatile Random Access Memory）４００５、Ｉ／Ｆ（Interface）４００６と、Ｉ／Ｆ４００６に接続された、キーボード、マウス、モニタ、ＣＤ／ＤＶＤ（Compact Disk/Digital Versatile Disk）ドライブ等のＩ／Ｏ（Input/Output Device）４００７、ＨＤＤ４００８、ＮＩＣ（Network Interface Card）４００９等を備えている。Ｍはプログラムもしくはデータが格納されたＣＤ／ＤＶＤ等のメディア（記録媒体）である。
【００３９】
＜動作＞
図６は上記の実施形態の処理例を示すシーケンス図であり、主に利用誘導文字情報提供装置４のＲＳＳ登録部４１の処理例を示したものである。
【００４０】
図６において、利用誘導文字情報提供装置４のＲＳＳ登録部４１におけるクローラ部４１３は、周期的あるいはバッチ的にクロール処理を行い（ステップＳ１０１）、その過程で、サービス提供装置３にページ取得リクエストを行い（ステップＳ１０２）、ページデータを取得する（ステップＳ１０３）。ページ取得リクエストは、インターネットの標準プロトコルであるＨＴＴＰに従ったＧＥＴメソッドとリクエストＵＲＩ（Uniform Resource Identifier）等を含むメッセージがクローラ部４１３からサービス提供装置３に送信されることで行なわれる。ページデータはＨＴＴＰのレスポンス等に従ってサービス提供装置３からクローラ部４１３に送信される。クローラ部４１３は、取得したページデータをクロール結果保持部４３に格納する（ステップＳ１０４）。
【００４１】
一方、利用誘導文字情報提供装置４のＲＳＳ登録部４１におけるログ情報取得部４１１は、周期的あるいはバッチ的に処理を開始する。
【００４２】
先ず、ログ情報取得部４１１はユーザログデータベース５からログ情報を取得し（ステップＳ２０１）、取得したログ情報をログ情報分析部４１２に引き渡す（ステップＳ２０２）。ログ情報取得部４１１とログ情報分析部４１２の間の通信はＲＳＳ登録部４１内の通信であるため、任意の形式とすることができる。
【００４３】
ログ情報を受け取ったログ情報分析部４１２は、形態素解析、構文解析、意味解析等の自然言語解析手法によりログ情報を分析し、特徴語を抽出する（ステップＳ２０３）。すなわち、ログ情報がクエリログであれば、そのユーザがよく検索に用いるキーワードが特徴語として抽出される。また、ログ情報がページ閲覧ログであれば、そのユーザがよく閲覧するページに含まれる語が特徴語として抽出される。ログ情報分析部４１２は、抽出した特徴語をＲＳＳサイト設定部４１４に引き渡す（ステップＳ２０４）。ログ情報分析部４１２とＲＳＳサイト設定部４１４の間の通信はＲＳＳ登録部４１内の通信であるため、任意の形式とすることができる。
【００４４】
特徴語を受け取ったＲＳＳサイト設定部４１４は、受け取った特徴語と、クロール結果保持部４３に格納されたクロール結果とを比較する（ステップＳ２０５）。すなわち、クロール結果に特徴語が含まれているか否かを文字列比較する。そして、特徴語を含む頻度の高いコンテンツを提供しているサービス提供装置３を選択し、ＲＳＳサイト管理データベース４４にユーザと対応付けてサービス提供装置３のＲＳＳ取得ＵＲＬを設定する（ステップＳ２０６）。
【００４５】
図７は上記の実施形態の他の処理例を示すシーケンス図であり、主に利用誘導文字情報提供装置４の利用誘導文字情報提供部４２の処理例を示したものである。
【００４６】
図７において、利用誘導文字情報提供装置４の利用誘導文字情報提供部４２におけるＲＳＳデータ受信部４２１は周期的あるいはバッチ的に処理を開始する。
【００４７】
先ず、ＲＳＳデータ受信部４２１は、ＲＳＳサイト管理データベース４４に設定されたＲＳＳサイトＵＲＬを取得する（ステップＳ３０１）。そして、そのＲＳＳサイトＵＲＬの指すサービス提供装置３にＲＳＳ取得リクエストを行い（ステップＳ３０２）、ＲＳＳデータを取得する（ステップＳ３０３）。ＲＳＳ取得リクエストは、インターネットの標準プロトコルであるＨＴＴＰに従ったＧＥＴメソッドとリクエストＵＲＩ等を含むメッセージがＲＳＳデータ受信部４２１からサービス提供装置３に送信されることで行なわれる。ＲＳＳデータはＨＴＴＰのレスポンス等に従ってサービス提供装置３からＲＳＳデータ受信部４２１に送信される。
【００４８】
次いで、ＲＳＳデータ受信部４２１は取得したＲＳＳデータに基づいてコンテンツの更新状況を判断し（ステップＳ３０４）、更新が行われているコンテンツのＵＲＬをコンテンツ取得部４２２に引き渡す（ステップＳ３０５）。ＲＳＳデータ受信部４２１とコンテンツ取得部４２２の間の通信は利用誘導文字情報提供部４２内の通信であるため、任意の形式とすることができる。
【００４９】
ＵＲＬを受け取ったコンテンツ取得部４２２は、そのＵＲＬの指すサービス提供装置３にページ取得リクエストを行い（ステップＳ３０６）、ページデータを取得する（ステップＳ３０７）。ページ取得リクエストは、インターネットの標準プロトコルであるＨＴＴＰに従ったＧＥＴメソッドとリクエストＵＲＩ等を含むメッセージがコンテンツ取得部４２２からサービス提供装置３に送信されることで行なわれる。ページデータはＨＴＴＰのレスポンス等に従ってサービス提供装置３からコンテンツ取得部４２２に送信される。コンテンツ取得部４２２は、取得したページデータをテキスト抽出部４２３に引き渡す（ステップＳ３０８）。コンテンツ取得部４２２とテキスト抽出部４２３の間の通信は利用誘導文字情報提供部４２内の通信であるため、任意の形式とすることができる。
【００５０】
ページデータを受け取ったテキスト抽出部４２３は、ページデータからテキストデータを抽出する（ステップＳ３０９）。テキスト抽出部４２３は抽出したテキストデータをリンク埋め込み部４２４に引き渡す（ステップＳ３１０）。テキスト抽出部４２３とリンク埋め込み部４２４の間の通信は利用誘導文字情報提供部４２内の通信であるため、任意の形式とすることができる。
【００５１】
テキストデータを受け取ったリンク埋め込み部４２４は、テキストデータの１文字単位に取得元のサービス提供装置３のページのＵＲＬリンクを埋め込んで利用誘導文字情報を生成する（ステップＳ３１１）。リンク埋め込み部４２４は生成した利用誘導文字情報を利用誘導文字送信部４２５に引き渡す（ステップＳ３１２）。リンク埋め込み部４２４と利用誘導文字送信部４２５の間の通信は利用誘導文字情報提供部４２内の通信であるため、任意の形式とすることができる。
【００５２】
利用誘導文字情報を受け取った利用誘導文字送信部４２５は、ユーザ端末２のテキスト受信・表示部２２に対して利用誘導文字情報を送信する（ステップＳ３１３）。利用誘導文字送信部４２５とテキスト受信・表示部２２の間の通信は、ＨＴＴＰ等に準拠したものであることが望ましい。なお、利用誘導文字送信部４２５は、ユーザ端末２の起動時にテキスト受信・表示部２２からアクセスを受け付け、テキスト受信・表示部２２のＩＰアドレスをユーザＩＤと対応付けて保持しておき、そのＩＰアドレスに基づいて利用誘導文字情報を送信するものとする。
【００５３】
利用誘導文字情報を受信したテキスト受信・表示部２２は、ユーザ端末２の画面上に利用誘導文字情報を表示する（ステップＳ３１４）。図８はユーザ端末２の画面例を示す図であり、画面の主となる領域の邪魔とならない下端部に電光掲示板のように「△△です。○○○○○セール開催中！  ××××が超特価！！」という文字列が右から左に流れるように表示される。なお、画面の主となる領域の邪魔とならないものであれば、画面の上端部でも右端部でも左端部でもよい。
【００５４】
図７に戻り、ユーザ端末２のユーザが画面上の利用誘導文字情報の文字列をマウスによりクリックし、テキスト受信・表示部２２がこれを検出すると（ステップＳ３１５）、テキスト受信・表示部２２は、クリックされた文字に埋め込まれたＵＲＬを指定してブラウザ２１を起動する（ステップＳ３１６）。
【００５５】
起動されたブラウザ２１は、指定されたＵＲＬが指すサービス提供装置３にページ取得リクエストを行い（ステップＳ３１７）、ページデータを取得する（ステップＳ３１８）。ページ取得リクエストは、インターネットの標準プロトコルであるＨＴＴＰに従ったＧＥＴメソッドとリクエストＵＲＩ等を含むメッセージがブラウザ２１からサービス提供装置３に送信されることで行なわれる。ページデータはＨＴＴＰのレスポンス等に従ってサービス提供装置３からブラウザ２１に送信される。
【００５６】
ページデータを受信したブラウザ２１は、ページを画面に表示する（ステップＳ３１９）。図９はユーザ端末２の画面のブラウザ２１の表示領域に、ユーザがクリックした「○○○○○セール開催中！」に対応するＷｅｂページが表示された状態を示している。
【００５７】
＜総括＞
以上説明したように、本実施形態によれば、ユーザがＷｅｂサイト等のページを積極的に閲覧していなくてもＷｅｂサイト等のページ閲覧へ誘導することができ、サービス利用の促進が期待される。
【００５８】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５９】
１          ネットワーク
２          ユーザ端末
２１        ブラウザ
２２        テキスト受信・表示部
３          サービス提供装置
４          利用誘導文字情報提供装置
４１        ＲＳＳ登録部
４１１      ログ情報取得部
４１２      ログ情報分析部
４１３      クローラ部
４１４      ＲＳＳサイト設定部
４２        利用誘導文字情報提供部
４２１      ＲＳＳデータ受信部
４２２      コンテンツ取得部
４２３      テキスト抽出部
４２４      リンク埋め込み部
４２５      利用誘導文字送信部
４３        クロール結果保持部
４４        ＲＳＳサイト管理データベース
５          ユーザログデータベース
【図１】
2011060022.tif 000003
【図２】
2011060022.tif 000004
【図３】
2011060022.tif 000005
【図４】
2011060022.tif 000006
【図５】
2011060022.tif 000007
【図６】
2011060022.tif 000008
【図７】
2011060022.tif 000009
【図８】
2011060022.tif 000010
【図９】
2011060022.tif 000011